(57)【要約】【課題】本発明は、軽く・薄く・短く小さい上、磁場が生じず、省エネを達成できる放熱用圧電ファンの構造とその方法を提供する。【解決手段】支持部材と、片側の縁が支持部材に固定された二つの圧電アクチュエータモジュールとからなる。その内、圧電アクチュエータモジュールは、片側の縁が支持部材両側に固定された二つの導電素子と、導電素子に設けられた圧電素子とからなる。以上により、交流電圧を圧電アクチュエータモジュールに印加した時、ｕ形を呈する空洞の設計により、圧電アクチュエータモジュールにおける支持部材が固定されていない領域が、開いたり閉じたりして揺れ動き、空洞に空気が吸入された後に噴出する。また、支持部材の両側箇所に保護蓋をさらに取り付けることができ、それにより、圧電アクチュエータモジュールの電極層を保護して外に露出させないことができる。【選択図】図２
2014190163.tif 000002
【特許請求の範囲】
【請求項１】
支持部材と、片側の縁が前記支持部材に固定された二つの圧電アクチュエータモジュールとからなる放熱用圧電ファンの構造とその方法であって、
前記圧電アクチュエータモジュールは、片側が前記支持部材に固定された導電素子と、前記導電素子に設けられた圧電素子とからなることを特徴とする、放熱用圧電ファンの構造。
【請求項２】
前記支持部材には、さらに、保護蓋が設けられ、前記保護蓋は、金属薄片、或いは、樹脂薄片、或いは、紙片の内のいずれか一つからなることを特徴とする、請求項１に記載の放熱用圧電ファンの構造。
【請求項３】
2014190163.tif 000004
【請求項４】
前記支持部材は、金属、或いは、植物ゴム、或いは、エンジニアリングゴム、或いは、陶磁器の内のいずれか一つからなることを特徴とする、請求項１に記載の放熱用圧電ファンの構造。
【請求項５】
前記導電素子は、金属、或いは、導電複合材質の内のいずれか一つからなることを特徴とする、請求項１に記載の放熱用圧電ファンの構造。
【請求項６】
（ａ）二つの圧電アクチュエータモジュールを、それぞれ、片側の縁を固定する方式で支持部材に固定する、手順と、
（ｂ）交流電圧を圧電アクチュエータモジュールに印加することで、前記圧電アクチュエータモジュールにおける支持部材を固定していない領域が開いたり閉じたりして揺れ動き、空洞口から空気が吸入された後、噴出する、
手順とからなることを特徴とする、放熱用圧電ファンを製造する方法。
【請求項７】
前記支持部材には、さらに、保護蓋が設けられ、前記保護蓋は、金属薄片、或いは、樹脂薄片、或いは、紙片の内のいずれか一つからなることを特徴とする、請求項６に記載の放熱用圧電ファンを製造する方法。
【請求項８】
2014190163.tif 000005
【請求項９】
前記支持部材は、金属、或いは、植物ゴム、或いは、エンジニアリングゴム、或いは、陶磁器、或いは、複合材料の内のいずれか一つからなることを特徴とする、請求項６に記載の放熱用圧電ファンを製造する方法。
【請求項１０】
前記導電素子は、金属、或いは、導電複合材質の内のいずれか一つからなることを特徴とする、請求項６に記載の放熱用圧電ファンを製造する方法。
【発明の詳細な説明】
【技術分野】
【０００１】
本発明は放熱用圧電ファンに関し、特に回転ブレードと回転電磁モーターの設計をもたず、軽い・薄い・短く小さいといった特性を備えるとともに、省エネで電磁場が発生しないという複数の長所を備えた放熱用圧電ファンの構造とその方法に関する。
【背景技術】
【０００２】
図１と図１ａを参照する。図１と図１ａは、従来の放熱ファンの概略図及び従来の放熱ファンの断面図である。従来の放熱ファン２は、例えば、米国特許公報であるｕｓ  ７．１６５．９３８．ｂ２及びｕｓ  ２００８／０１３０２２６ａ１に開示されているように、一般的に、回転ブレードと、回転電磁モーターと、ケースとからなる。一般的な放熱ファン２の外形は長方体であり、ノート型パソコンやｉ  ｐａｄ等の最近の携帯電子機器は、どんどん薄く軽く小さく短くなってきており、中央処理装置（ｃｐｕ）の放熱ファンの厚みも、さらなる薄さが求められてきている。
【０００３】
しかしながら、従来の長方体の放熱ファン２は、厚みの設計上、難しい課題を抱えており、放熱ファン２の厚さを如何にして減らすかについて、各メーカーは頭を悩ませている。
【先行技術文献】
【特許文献】
【０００４】
【特許文献１】米国特許ｕｓ  ７．１６５．９３８．ｂ２明細書
【特許文献２】米国特許ｕｓ  ２００８／０１３０２２６ａ１明細書
【発明の概要】
【発明が解決しようとする課題】
【０００５】
本発明は、薄型の圧電アクチュエータモジュールの設計を採用することにより厚みを減らすとともに、エネルギーの消耗を減らして省エネを達成でき、しかも、圧電アクチュエータモジュールは電場を利用して揺り動かすため、ファンの周囲に磁場が発生せず、その他の電子素子の作動に影響を与えない、放熱用圧電ファンの構造とその方法を提供することを目的とする。
【課題を解決するための手段】
【０００６】
上述の目的を達成するために、本発明の放熱用圧電ファンの構造とその方法は、支持部材と、片側の縁が前記支持部材両側に固定された二つの圧電アクチュエータモジュールとからなる。その内、前記圧電アクチュエータモジュールは、片側が前記支持部材に固定された導電素子と、前記導電素子に設けられた圧電素子とからなる。また、上述した支持部材には、さらに、二枚の保護蓋が設けられる。
【発明の効果】
【０００７】
上述の構造と組み合わせにより、支持部材の両側の二つの圧電アクチュエータモジュールを、それぞれ、片側の縁を固定する方式で支持部材に固定して、交流電圧を圧電アクチュエータモジュールに印加した時、ｕ形を呈する空洞の設計により、前記圧電アクチュエータモジュールにおける支持部材に固定されていない領域が開いたり閉じたりして揺れ動き、空洞に空気が吸入された後に噴出する。また、本発明は、支持部材の両側箇所に保護蓋をさらに取り付けることができ、それにより、圧電アクチュエータモジュールの電極層を保護して外に露出させないことができ、しいては、軽い・薄い・短くて小さいという特性を達成するとともに、磁場が生じず、省エネを達成できるといった多くの実用進歩性を達成することができる。
【図面の簡単な説明】
【０００８】
【図１】従来の放熱ファンの概略図である。
【図１Ａ】従来の放熱ファンの断面図である。
【図２】本発明の放熱用圧電ファンの斜視図である。
【図３】本発明の放熱用圧電ファンの分解図である。
【図４】本発明の放熱用圧電ファンの正面図である。
【図５】本発明の放熱用圧電ファンの二つのアクチュエータモジュールが開いて閉じた後の様子を示した断面図である。
【図５ａ】本発明の放熱用圧電ファンの方法のフローチャートである。
【図６】本発明の放熱用圧電ファンアクチュエータモジュールの分解図である。
【図７】本発明のアクチュエータモジュールの組合図である。
【図８】保護蓋を備えた本発明の放熱用圧電ファンの斜視図である。
【図９】保護蓋を備えた本発明の放熱用圧電ファンの分解図である。
【図１０】保護蓋を備えた本発明の放熱用圧電ファンの正面図である。
【図１１】保護蓋を備えた本発明の放熱用圧電ファンの断面図である。
【発明を実施するための形態】
【０００９】
図２から図７を参照する。図２から図７は、本発明の放熱用圧電ファンの斜視図〜アクチュエータモジュールの組合図である。図から分かるように、本発明による放熱用圧電ファンの構造とその方法は、支持部材１１と、片側の縁が支持部材１１の両側に固定された二つの圧電アクチュエータモジュール１２とからなる。その内、圧電アクチュエータモジュール１２は、片側が支持部材１１に固定された導電素子１２１と、導電素子１２１に設けられた圧電素子１２２とからなる。
【００１０】
2014190163.tif 000003
なお、支持部材１１は、金属、或いは、植物ゴム、或いは、エンジニアリングゴム、或いは、陶磁器、或いは、複合材料のいずれか一つからなる。また、導電素子１２１は、金属、或いは、導電複合材料のいずれか一つからなる。
【００１１】
図５と図５ａを同時に参照する。図５と図５ａは、本発明の放熱用圧電ファンの二つのアクチュエータモジュールが開いて閉じた後の様子を示した断面図及び方法のフローチャートである。図から分かるように、本発明の放熱用圧電ファンの構造とその方法は、以下の（ａ）と（ｂ）とからなる。（ａ）二つの圧電アクチュエータモジュール１２を、それぞれ、片側の縁を固定する方式で支持部材１１に固定する。（ｂ）交流電圧を圧電アクチュエータモジュール１２に印加すると、圧電アクチュエータモジュール１２における支持部材１１を固定していない領域が開いたり閉じたりして揺れ動き、空洞口から空気が吸入された後、噴出する。
【００１２】
上述の構造、組み合わせ設計による本発明を使用した時の作動状況について以下に説明を行う。図２から図７を同時に参照する。図２から図７は、本発明の放熱用圧電ファンの斜視図〜アクチュエータモジュールの組合図である。図から分かるように、導電素子１２１と支持部材１１の固定は、片側の縁を利用して固定する方法であるため、圧電アクチュエータモジュール１２に交流電圧を印加した時、圧電アクチュエータモジュール１２における支持部材１１に固定されていない残りの領域に変形が生じ、開いたり閉じたりして揺れ動く。それにより、空気が、支持部材１１及び圧電アクチュエータモジュール１２によって生じる空洞口から吸入された後、噴出する。このため、空洞のサイズは本発明の構造の放熱風量を決定する主因となり、適切に設計することにより、本発明の構造の風排出量及び騒音音圧を最適な量にすることができる。一般的に言うと、本考案の構造の外形は、使用端の組立ての需要に合わせて、任意の形状にすることができるが、以下に、外観が四角形体の例について説明を行う。外観が四角形体でサイズが長さ４０ｍｍ×幅４０ｍｍ×厚さ３ｍｍである時、支持部材１１及び圧電アクチュエータモジュール１２によって生じる空洞風排出口の面積は３５ｍｍ×１．３ｍｍ＝４５．５ｍｍ２であり、導線から周波数が２００ｈｚ３０ｖの交流電圧が印加されると、その風排出量は１ｍ３／分以上に達することができ、パソコンの中央処理装置（ｃｐｕ）の放熱を行うことができる。なお、３０センチ離れた箇所で測定したその音圧は３０ｄｂである。例を挙げて説明すると、例えば、導電素子１２１（ｌｍ）が３４ｍｍ、圧電素子１２２（ｌｃ）が１８ｍｍ、圧電ファンに取り付けた外観のサイズが４０ｍｍ×幅４０ｍｍ×厚さ３ｍｍである場合、導電素子１２１の揺れ動きの有効長さｌｍｅは、２８ｍｍであり、圧電素子１２２の揺れ動きの有効長さｌｃｅは１４ｍｍである。また、１４ｍｍ（ｌｃｅ）：２８ｍｍ（ｌｍｅ）＝０．５、且つ、幅の比３３ｍｍ（ｗｃｅ）：３５ｍｍ（ｗｎｅ）＝０．９５の時、その消費電力は、実際に計ってみると３０ｖ×７ｍａ＝０．２１ｗであった。このように、実際に測定したデータから、本発明は電気が節約できる放熱ファンであることが分かる。
【００１３】
図８から図１１を同時に参照する。図８から図１１は、保護蓋を備えた本発明の放熱用圧電ファンの斜視図〜断面図である。図から分かるように、本発明による支持部材１１ａ及び圧電アクチュエータモジュール１２ａの組み合わせ構造は、さらに、保護蓋１３ａを支持部材１１ａに設けることができる。この保護蓋１３ａの設計により、圧電アクチュエータモジュール１２ａの電極層を保護して外に露出させないという実用進歩性を達成することができる。
【符号の説明】
【００１４】
（従来技術の部材）
２            放熱ファン
（本考案の部材）
１１、１１ａ  支持部材
１２、１２ａ  圧電アクチュエータモジュール
１２１        導電素子
１２２        圧電素子
１３ａ        保護蓋
【図１】
2014190163.tif 000006
【図１Ａ】
2014190163.tif 000007
【図２】
2014190163.tif 000008
【図３】
2014190163.tif 000009
【図４】
2014190163.tif 000010
【図５】
2014190163.tif 000011
【図５ａ】
2014190163.tif 000012
【図６】
2014190163.tif 000013
【図７】
2014190163.tif 000014
【図８】
2014190163.tif 000015
【図９】
2014190163.tif 000016
【図１０】
2014190163.tif 000017
【図１１】
2014190163.tif 000018